(57)【要約】【課題】中空材の浮上をガイドするガイド部材の上部を中空材の浮上のストッパとなるスラブ鉄筋に接合するための鉄筋拘束具を提供することである。【解決手段】長尺材の一端部における雄ネジ部５に、交差した鉄筋２３、２４を挟み込める大きさの上部板ナット２１と下部板ナット２２とを設け、この上部板ナット２１と下部板ナット２２との厚さが２〜４ｍｍである。【選択図】図１
2006132321.tif 000002
【特許請求の範囲】
【請求項１】
長尺材の一端部における雄ネジ部に、交差した鉄筋を挟み込める大きさの上部板ナットと下部板ナットとを設け、この上部板ナットと下部板ナットとの厚さが２〜４ｍｍであることを特徴とする鉄筋拘束具。
【請求項２】
上部板ナットと下部板ナットとは、それぞれ二面の幅が３０〜３５ｍｍであることを特徴とする請求項１に記載の鉄筋拘束具。
【請求項３】
長尺材の一端部における雄ネジ部に、拘束線材の基端部が上下部ナットで挟み付けられて固定され、前記基端部の上には拘束線材の回転を阻止する抑止板が設置され、基端部から延びた一対の拘束線材が上部ナットに設置した鉄筋に掛け止めできるように折り曲げ形成され、その先端部に下側に折り曲げられたフックが設けられたことを特徴とする鉄筋拘束具。
【請求項４】
長尺材の一端部における雄ネジ部に二つに折り曲げた固定板が水平状に取り付けられ、該固定板のＵ字状の折曲部と雄ネジ部との間に鉄筋拘束具の基端部が回転可能に挿入され、該基端部から延びた一対の拘束線材が固定板に設置した鉄筋に掛け止めできるように折り曲げ形成されたことを特徴とする鉄筋拘束具。
【請求項５】
長尺材の一端部における雄ネジ部に水平状に設けられた基盤と、該基盤の一端部から上方に延び、かつ基盤上に設置された鉄筋に掛け止めされる鈎形線材とからなることを特徴とする鉄筋拘束具。
【請求項６】
長尺材の一端部における雄ネジ部に水平状に設けられた載置板と、該載置板の一端部から上方に延びた起立板とからなり、該起立板が載置板に設置された鉄筋に掛け止めできるように折曲可能であることを特徴とする鉄筋拘束具。
【発明の詳細な説明】
【技術分野】
【０００１】
本発明はコンクリートスラブを構築する際に使用する鉄筋拘束具に関するものである。
【背景技術】
【０００２】
コンクリートスラブを構築する際の埋込材を浮上させようとする力を利用して、埋込材をコンクリート層の途中に適切に埋め込む方法としては、例えば特開２０００−１９２５９１号公報の発明がある。これは、コンクリート打込用の脱型仮型枠に対して、埋込材に挿通できるガイドを固定接続しておき、埋込材をガイドにセッティング後、コンクリートの打込みによって埋込材をガイドに沿って所定位置まで浮上させるものである。
【特許文献１】特開２０００−１９２５９１号公報
【発明の開示】
【発明が解決しようとする課題】
【０００３】
しかし、上記の発明は、ガイドが埋込材に直接挿通されているので、ガイドの本数が多くなり、かつガイドに挿入された芯材の上下動をガイドの制止部で止めているため埋込材およびガイドが不安定になるなどの問題があった。
【０００４】
本発明は上記のような問題に鑑みてなされたものであり、その目的は、中空材の浮上をガイドするガイド部材の上部を中空材の浮上のストッパとなるスラブ鉄筋に接合するための鉄筋拘束具を提供することである。
【課題を解決するための手段】
【０００５】
本発明の鉄筋拘束具は、長尺材の一端部における雄ネジ部に、交差した鉄筋を挟み込める大きさの上部板ナットと下部板ナットとを設け、この上部板ナットと下部板ナットとの厚さが２〜４ｍｍであることを含む。また上部板ナットと下部板ナットとは、それぞれ二面の幅が３０〜３５ｍｍであることを含むものである。
また鉄筋拘束具は、長尺材の一端部における雄ネジ部に、拘束線材の基端部が上下部ナットで挟み付けられて固定され、前記基端部の上には拘束線材の回転を阻止する抑止板が設置され、基端部から延びた一対の拘束線材が上部ナットに設置した鉄筋に掛け止めできるように折り曲げ形成され、その先端部に下側に折り曲げられたフックが設けられたことを特徴とする。
また鉄筋拘束具は、長尺材の一端部における雄ネジ部に二つに折り曲げた固定板が水平状に取り付けられ、該固定板のＵ字状の折曲部と雄ネジ部との間に鉄筋拘束具の基端部が回転可能に挿入され、該基端部から延びた一対の拘束線材が固定板に設置した鉄筋に掛け止めできるように折り曲げ形成されたことを特徴とする。
また鉄筋拘束具は、長尺材の一端部における雄ネジ部に水平状に設けられた基盤と、該基盤の一端部から上方に延び、かつ基盤上に設置された鉄筋に掛け止めされる鈎形線材とからなることを特徴とする。
また鉄筋拘束具は、長尺材の一端部における雄ネジ部に水平状に設けられた載置板と、該載置板の一端部から上方に延びた起立板とからなり、該起立板が載置板に設置された鉄筋に掛け止めできるように折曲可能であることを特徴とする。
【発明の効果】
【０００６】
またガイド部材の鉄筋拘束具にスラブ上筋を簡単に拘束することができ。
【発明を実施するための最良の形態】
【０００７】
以下、本発明の鉄筋拘束具の実施の形態について説明するが、はじめに、コンクリートスラブの構築方法について説明し、その後に、この構築方法に使用される鉄筋拘束具について説明する。なお、各実施の形態において、同じ構成は同じ符号を使って説明し、異なる構成は異なった符号を付して説明する。
【０００８】
図１〜図４は、第１の実施の形態のコンクリートスラブの構築方法である。このコンクリートスラブの構築方法は、はじめに、図１の（１）に示すように、スラブ型枠１の底部にボード用アンカー２でスペーサー３を適宜箇所に設置するとともに、該スペーサー３上にスラブ下筋４を配筋する。
【０００９】
このスペーサー３は、同図の（２）〜（４）に示すように、合成樹脂製で平面楕円形に形成され、その中央部に雌ネジ部５が貫通し、該雌ネジ部５を挟んだＸ軸方向およびＹ軸方向の対向箇所にそれぞれ突起６が設けられ、これらの突起６間に鉄筋載置部７が形成された構成である。
【００１０】
この突起６は、雌ネジ部５の中心を通るＸ軸およびＹ軸上に設けられて、鉄筋載置部７に載置されたスラブ下筋４により、雌ネジ部５が塞がれないようにするものである。すなわち、Ｘ軸方向およびＹ軸方向に配筋されたスラブ下筋４の移動が突起６で規制されるので、雌ネジ部５を塞がないようになっている。
【００１１】
また鉄筋載置部７は、Ｘ軸における高所載置部９と、Ｙ軸における低所載置部１０とが段差をもって形成され、該低所載置部１０が凸部１１により二つに区画されて、スラブ下筋４が並列に配筋できるようになっている。この高所載置部９と低所載置部１０とは、異なった被り厚を確保するためのものであり、例えば屋内のスラブを構築するときは低所載置部１０にスラブ下筋４を配筋し、屋外のスラブを構築するときは高所載置部９にスラブ下筋４を配筋する。
【００１２】
またボード用アンカー２は合成樹脂製であり、軸体１２の下端部から上端側に向かって外側に開いた二枚の掛止片１３と、該掛止片１３の自由端部に設けた、軸体１２を取付用開孔の中心部に位置付けさせる位置決め片１４とから構成されている。
【００１３】
次に、図２に示すように、スラブ下筋４が配筋されたスラブ型枠１内に中空材１５を、貫通孔１６がスペーサー３の上に位置するように設置する。そして、前記貫通孔１６に鉄筋拘束具１７のガイド部材１８を差し込んで、その先端部をスペーサー３の雌ネジ部５にねじ込むと、中空材１５がガイド部材１８をガイドとして上方に移動できるようになる。
【００１４】
上記の鉄筋拘束具１７はスラブ上筋１９を配筋するものであり、図３に示すように、ガイド部材１８の上部における雄ネジ部２０に設けた、上部板ナット２１と下部板ナット２２とから構成されている。この上部板ナット２１と下部板ナット２２とは、スラブ上筋１９の交差した横筋２３および縦筋２４を挟み込める大きさと厚さ、すなわち同図の（２）に示すように、二面の幅Ｈが３０〜３５ｍｍ、厚さが２〜４ｍｍであり、上部板ナット２１の上から締付ナット２５をねじ込んで、横筋２３と縦筋２４の交差部を上下から挟み付けるようになっている。
【００１５】
そして、この鉄筋拘束具１７にスラブ上筋１９を配筋する。この配筋は、まず下部板ナット２２上に横筋２３を設置して雄ネジ部２０に結束する。次に、この横筋２３上に二本の縦筋２４を、雄ネジ部２０を挟むようにして結束するが、縦筋２４が一本の場合は、雄ネジ部２０に結束する。また締付ナット２５は、コンクリートの打設中に上部板ナット２１が緩まないように設置する。よって、横筋２３および縦筋２４を上下部板ナット２１、２２の間に、横から簡単に差し込むことができる。またスラブ上筋１９は、隣接するガイド部材１８同士を連結して、その上部側を固定するとともに、上昇する中空材１５のストッパにもなる。
【００１６】
次に、図４に示すように、スラブ型枠１内にコンクリート２６を打設すると、中空材１５が浮力により、ガイド部材１８をガイドとして浮き上がり、鉄筋拘束具１７に配筋されたスラブ上筋１９に当接する。そして、このスラブ上筋１９に当接した中空材１５が、コンクリート２６に埋設されて、コンクリートスラブ８が構築される。
【００１７】
また図５および図６は、第２の実施の形態のコンクリートスラブの構築方法である。このコンクリートスラブの構築方法は、図５の（１）に示すように、スラブ型枠１の底部にボード用アンカー２でスペーサー３を適宜箇所に設置するとともに、該スペーサー３上にスラブ下筋４を配筋する。このボード用アンカー２とスペーサー３とは、第１の実施の形態と同じ構成である。
【００１８】
次に、スラブ下筋４が配筋されたスラブ型枠１内に中空材ユニット２７を設置する。この中空材ユニット２７は、軽量発泡材で形成された円筒形の軽量型枠１５ａが、接続筋などの連結材２８で縦横方向に適宜間隔をもって連結されたものである。
【００１９】
次に、前記スペーサー３の雌ネジ部５に、上記と同じ鉄筋拘束具１７のガイド部材１８をねじ込み、該ガイド部材１８に、スライド自在に取り付けた振止材２９を中空材ユニット２７の連結材２８に固定する。したがって、この振止材２９がガイド部材１８をスライドするため、中空材ユニット２７全体が、ガイド部材１８をガイドとして上方に移動できる。この振止材２９は、図５の（２）に示すように、中央部にガイド部材１８を差し込む差込孔３０を備え、両端部には連結材２８に掛け止める掛止フック３１が形成されている。  
【００２０】
次に、図６に示すように、上記と同じ方法で、鉄筋拘束具１７にスラブ上筋１９を配筋するとともに、スラブ型枠１内にコンクリート２６を打設すると、中空材ユニット２７が浮力により、ガイド部材１８をガイドとして浮き上がり、鉄筋拘束具１７に配筋されたスラブ上筋１９に当接する。そして、このスラブ上筋１９に当接された中空材ユニット２７が、コンクリート２６に埋設されて、コンクリートスラブ８が構築される。
【００２１】
また図７〜図１２は、第３の実施の形態のコンクリートスラブの構築方法である。このコンクリートスラブの構築方法は、図７に示すように、スラブ型枠１の底部にボード用アンカー２でスペーサー３を適宜箇所に設置するとともに、該スペーサー３上にスラブ下筋４を配筋する。このボード用アンカー２とスペーサー３とは、第１の実施の形態と同じ構成である。
【００２２】
次に、図８に示すように、スラブ下筋４が配筋されたスラブ型枠１内に中空材ユニット２７を、スペーサー３が軽量型枠１５ａ間に位置するように設置する。この中空材ユニット２７は、軽量発泡材で形成されたカプセル形の軽量型枠１５ａが溶接金網などの連結材２８で縦横方向に適宜間隔をもって連結されたものである。
【００２３】
次に、前記スペーサー３の雌ネジ部５に、上記と同じ鉄筋拘束具１７のガイド部材１８をねじ込み、該ガイド部材１８に、スライド自在に取り付けた振止材３２を中空材ユニット２７の連結材２８に固定する。よって、この振止材２９がガイド部材１８をスライドするため、中空材ユニット２７全体が、ガイド部材１８をガイドとして上方に移動できる。
【００２４】
この振止材２９は、図９に示すように、中央部に、ガイド部材１８を差し込む差込孔３０を備え、両端部には、連結材２８に嵌め込む嵌込フック３３が形成されている。また図１０は、他の実施の形態の振止材３４であり、線材３５を折り曲げて差込孔３０と、両端部の嵌込フック３３とを形成している。
【００２５】
次に、図１１に示すように、上記と同じ方法で、鉄筋拘束具１７にスラブ上筋１９を配筋すると、このスラブ上筋１９が隣接したガイド部材１８同士を連結して、その上部側を固定するとともに、上昇する中空材ユニット２７のストッパになる。
【００２６】
次に、図１２に示すように、スラブ型枠１内にコンクリート２８を打設すると、中空材ユニット２７が浮力により、ガイド部材１８をガイドとして浮き上がり、鉄筋拘束具１７に配筋されたスラブ上筋１９に当接する。そして、このスラブ上筋１９に当接された中空材ユニット２７が、コンクリート２６に埋設されて、コンクリートスラブ８が構築される。
【００２７】
また図１３は、他の実施の形態の鉄筋拘束具３６である。この鉄筋拘束具３６は、同図の（２）に示すように、ガイド部材１８の雄ネジ部２０に、Ｕ字状の基端部３８が嵌め込まれて上下部ナット３９、４０で挟み付けられて構成されている。また、同図の（４）および（５）に示すように、基端部３８の上には抑止板４１が設置されて上部ナット４０で固定され、この抑止板４１の下側に突出した一対の突起４１ｂでＵ字状の基端部３８の両側を抑えて鉄筋拘束具３６の回転を阻止している。この拘束線材３７は、Ｕ字状の基端部３８から延びて湾曲形に形成され、その先端部には下側に折り曲げられたフック４２が形成されている。そして、上部ナット３９の上に配筋された縦筋２４を挟むようにして立ち上がった一対の拘束線材３７が横筋２３に掛け止めされ、該横筋２３がフック４２に嵌め込まれている。よって拘束線材３７の間から上部ナット３９上に縦筋２４を設置するとともに、この縦筋２４と拘束線材３７との間に横筋２３を差し込むと、これらが拘束線材３７のバネ作用で固定され、かつフック４２で押し出されないようになるため、スラブ上筋１９が鉄筋拘束具３６に簡単に配筋できる。
【００２８】
また図１４は、他の実施の形態の鉄筋拘束具４３である。この鉄筋拘束具４３は、ガイド部材１８の雄ネジ部２０に固定板４４により、Ｕ字状の基端部４６が取り付けられて構成されている。この固定板４４は、二つに折り曲げた状態で雄ネジ部２０に取り付けられ、この折曲部４４ａと雄ネジ部２０との間にＵ字状の基端部４６が挿入され、該基端部４６を中心に鉄筋拘束具４３が回転できるようになっている。この拘束線材４５はＵ字状の基端部４６から延びて湾曲状に形成されている。そして、この一対の拘束線材４５が縦筋２４に掛け止めされ、その先端部が固定板４４の起立部４７に設置された横筋２３に結束線４８で結束されている。したがって、起立部４７に横筋２３を設置し、この上に縦筋２４を設置した後、拘束線材４５を縦筋２４に掛け止めしてその先端部を横筋２３に結束線４８で結束すると、これらの交差部が固定されてスラブ上筋１９が簡単に配筋できる。
【００２９】
また図１５は、他の実施の形態の鉄筋拘束具５０である。この鉄筋拘束具５０は、ガイド部材１８の雄ネジ部２０に水平に取り付けられた基盤５１と、該基盤５１の一端部から上方に延びた鈎形線材５２とから構成されている。この鈎形線材５２は、基板５１上に設置された縦筋２４と横筋２３との交差部を、斜めに横切って掛け止めされる。したがって、まず縦筋２４を基盤５１上に設置した後に、縦筋２４と鈎形線材５２との間に横筋２３を差し込むと、これらが鈎形線材５２のバネ作用で固定されるためスラブ上筋１９の配筋が簡単にできる。
【００３０】
また図１６は、他の実施の形態の鉄筋拘束具５４である。この鉄筋拘束具５４は、ガイド部材１８の雄ネジ部２０に水平に取り付けられた載置板５５と、該載置板５５の端部から上方に延びた折曲可能な起立板５６とから構成されている。この載置板５５に縦筋２４が設置され、この上に設置された横筋２３に起立板５６が折り曲げた状態で掛け止めされている。したがって、起立板５６を折り曲げる前に、縦筋２４を載置板５５に設置するとともに、この上に横筋２３を設置した後、起立板５６を折り曲げて横筋２３に掛け止めして交差部を固定するとスラブ上筋１９が簡単に配筋できる。
【００３１】
この図１３〜図１６の鉄筋拘束具３６、４３、５０、５４は、第１〜第３のコンクリートスラブの構築方法における鉄筋拘束具１７に代わって適用することができる。これは、上記の鉄筋拘束具３６、４３、５０、５４をスペーサー３の雌ネジ部５にねじ込むものであり、いずれもスラブ上筋１９の配筋が簡単にできる。
【図面の簡単な説明】
【００３２】
【図１】第１の実施の形態のコンクリートスラブの構築方法を示し、（１）はスラブ型枠にスペーサーを設置した断面図、（２）はスペーサーの断面図、（３）は同平面図、（４）同斜視図である。
【図２】型枠内に中空材や鉄筋拘束具を設置した断面図である。
【図３】（１）は鉄筋拘束具の断面図、（２）は平面図である。
【図４】型枠内にコンクリートを打設した断面図である。
【図５】第２の実施の形態のコンクリートスラブの構築方法を示し、（１）はスラブ型枠に中空材ユニットを設置した断面図、（２）は振止材の平面図である。
【図６】型枠内にコンクリートを打設した断面図である。
【図７】第３の実施の形態のコンクリートスラブの構築方法を示し、スラブ型枠にスペーサーを設置した断面図である。
【図８】（１）はスラブ型枠に中空材ユニットを設置した断面図、（２）は同平面図である。
【図９】振止材であり、（１）は平面図、（２）は正面図、（３）は（１）のＡ−Ａ線断面図である。
【図１０】他の実施の形態の振止材であり、（１）は平面図、（２）は正面図である。
【図１１】（１）は鉄筋拘束具にスラブ上筋を配筋した断面図、（２）は平面図である。
【図１２】（１）はスラブ型枠にコンクリートを打設して中空材ユニットが上昇した断面図、（２）は拡大断面図である。
【図１３】鉄筋拘束具であり、（１）は正面図、（２）は平面図、（３）は側面図、（４）は固定板の正面図、（５）は固定板の側面図である。
【図１４】鉄筋拘束具であり、（１）は側面図、（２）は平面図、（３）は背面図である。
【図１５】鉄筋拘束具であり、（１）および（３）は側面図、（２）は平面図である。
【図１６】鉄筋拘束具であり、（１）は正面図、（２）は側面図、（３）は正面図である。
【符号の説明】
【００３３】
１  スラブ型枠
２  ボード用アンカー
３  スペーサー
４  スラブ下筋
５  雌ネジ部
６  突起
７  鉄筋載置部
８  コンクリートスラブ
９  高所載置部
１０  低所載置部
１１  凸部
１２  軸体
１３  掛止片
１４  位置決め片
１５  中空材
１５ａ  軽量型枠
１６  貫通孔
１７、３６、４３、５０、５４  鉄筋拘束具
１８  ガイド部材
１９  スラブ上筋
２０  雄ネジ部
２１  上部板ナット
２２  下部板ナット
２３  横筋
２４  縦筋
２５  締付ナット
２６  コンクリート
２７  中空材ユニット
２８  連結材
２９、３２、３４  振止材
３０  差込孔
３１  掛止フック
３３  嵌込フック
３５  線材
３７、４５  拘束線材
３８  基端部
３９  上部ナット
４０  下部ナット
４１  抑止板
４１ｂ  突起
４２  フック
４４  固定板
４６  基端部
４７  起立部
４８  結束線
５１  基盤
５２  鈎形線材
５５  載置板
５６  起立板
【図１】
2006132321.tif 000003
【図２】
2006132321.tif 000004
【図３】
2006132321.tif 000005
【図４】
2006132321.tif 000006
【図５】
2006132321.tif 000007
【図６】
2006132321.tif 000008
【図７】
2006132321.tif 000009
【図８】
2006132321.tif 000010
【図９】
2006132321.tif 000011
【図１０】
2006132321.tif 000012
【図１１】
2006132321.tif 000013
【図１２】
2006132321.tif 000014
【図１３】
2006132321.tif 000015
【図１４】
2006132321.tif 000016
【図１５】
2006132321.tif 000017
【図１６】
2006132321.tif 000018